(57)【要約】【課題】簡単な構成で、一般ユーザにとって簡単な操作で、テレビ装置で表示させた色と同じと感じる色でプリントする。【解決手段】テレビ装置１０は、入力画像を、入力画像のカラープロファイルと表示デバイスの特性と設定されている色調整値とから、表示用色空間にマッピングし表示デバイスに出力する画像処理手段と、プリントするための入力画像のプリント用画像とプリント用カラープロファイルとをプリンタ２０に伝送する伝送手段と、このプリント用カラープロファイルとして、プリンタ２０で、表示デバイスで入力画像を表示させた色と同等の色でプリント用画像をプリントするためのプロファイルを生成するプロファイル生成手段とを有する。プリンタ２０は、伝送されたプリント用画像を伝送されたプリント用カラープロファイルに従ってＰＣＳ色空間にマッピングし、プリンタ用のカラープロファイルに従ってプリント用色空間にマッピングしてプリントする。【選択図】図１
2009147613.tif 000002
【特許請求の範囲】
【請求項１】
入力画像を表示する表示デバイスを有するテレビ装置と、プリンタとを備えたプリントシステムにおいて、
該テレビ装置は、前記入力画像を、前記入力画像のカラープロファイルと前記表示デバイスの特性と前記テレビ装置で設定されている色調整値とから、表示用色空間にマッピングし、前記表示デバイスに出力する画像処理手段と、前記プリンタでプリントするための前記入力画像のプリント用画像とプリント用カラープロファイルとを、前記プリンタに伝送する伝送手段と、該伝送手段で伝送する前記プリント用カラープロファイルとして、前記プリンタで、前記表示デバイスで前記入力画像を表示させた色と同等の色で前記プリント用画像をプリントするためのプロファイルを生成するプロファイル生成手段とを有し、
前記プリンタは、前記伝送されたプリント用画像を、前記伝送されたプリント用カラープロファイルに従ってデバイスインデペンデントな色空間にマッピングすることで変換する第１変換手段と、該第１変換手段で変換されたプリント用画像を、前記プリンタ用のカラープロファイルに従ってプリント用色空間にマッピングすることで変換する第２変換手段と、該第２変換手段で変換されたプリンタ用画像をプリントするプリント手段とを有することを特徴とするプリントシステム。
【請求項２】
請求項１に記載のプリントシステムにおいて、
前記プロファイル生成手段は、前記プリント用カラープロファイルとして、前記入力画像を前記表示デバイスでの表示色と同等の色となるようにデバイスインデペンデントな色空間にマッピングするためのプロファイルを生成し、
前記伝送手段は、前記プリント用画像として前記入力画像を、前記プリンタに伝送することを特徴とするプリントシステム。
【請求項３】
請求項１に記載のプリントシステムにおいて、
前記プロファイル生成手段は、前記プリント用カラープロファイルとして、前記入力画像に前記色調整値を反映させた画像を、前記表示デバイスでの表示色と同等の色となるようにデバイスインデペンデントな色空間にマッピングするためのプロファイルを生成し、
前記伝送手段は、前記プリント用画像として、前記入力画像に前記色調整値を反映させた画像を、前記プリンタに伝送することを特徴とするプリントシステム。
【請求項４】
請求項１に記載のプリントシステムにおいて、
前記プロファイル生成手段は、前記プリント用カラープロファイルとして、デバイスインデペンデントな色空間であることを示すプロファイルを生成し、
前記伝送手段は、前記プリント用画像として、前記入力画像に前記色調整値を反映させた画像をさらにデバイスインデペンデントな色空間にマッピングした画像を、伝送することを特徴とするプリントシステム。
【請求項５】
請求項１〜４のいずれか１項に記載のプリントシステムにおけるテレビ装置。
【発明の詳細な説明】
【技術分野】
【０００１】
本発明は、テレビ装置とプリンタとを備えたプリントシステム、及びそのテレビ装置に関する。
【背景技術】
【０００２】
ＤＴＰ（Desktop publishing）の分野においては、カラーマネジメントシステムにより、入力デバイス、表示デバイス、プリントデバイスのカラープロファイルが作成され、このプロファイルを参照することで、どのデバイスでも正しい色で、同じ色に表現できるようになっている。これは、入力画像を、一旦カラープロファイルを用いて機器（デバイス）に依存しない色空間に正しくマッピングし、この色が正しく再現されるようデバイスのカラープロファイルを使ってそのデバイスに適した色に再度マッピングし直すことで、実現している。デバイスに依存しない空間を、以下、ＰＣＳ色空間（Profile Connection Space）と呼ぶ。ＰＣＳ色空間としては、例えばＬａｂ空間、ＸＹＺ空間、ＣＩＥＣＡＭ０２（Commission Internationale de l'Eclairage Color Appearance Model 2002）空間などが挙げられる。
【０００３】
図４は、このようなＤＴＰシステムの構成例を示すブロック図で、図中、１００は入力デバイスの一例としてのスキャナ、１１０はパーソナルコンピュータ（ＰＣ）、１２０は表示デバイスの一例としてのモニタ、１３０はプリントデバイスの一例としてのプリンタである。スキャナ１００は、原稿を光学的に読み取ることで得た画像データを、スキャナ１００用のＩＣＣ（International Color Consortium）プロファイル（ｓｃｎｒ）と共にＰＣ１００へ伝送する。ＰＣ１００は、Ｄｅｖｉｃｅ＞ＰＣＳ変換部１１１がその画像データを、そのＩＣＣプロファイル（ｓｃｎｒ）に従ってＰＣＳ色空間にマッピングすることで変換する。ＰＣ１１０は、その画像データをモニタ１２０に表示させる際に、ＰＣＳ色空間にマッピングした画像データをＰＣＳ＞Ｄｅｖｉｃｅ（ｍｎｔｒ）変換部１１２によりモニタ１２０用のＩＣＣプロファイル（ｍｎｔｒ）に従って変換して、モニタ１２０に出力する。また、ＰＣ１１０は、その画像データをプリンタ１３０にプリントさせる際に、ＰＣＳ色空間にマッピングした画像データをＰＣＳ＞Ｄｅｖｉｃｅ（ｐｒｔｒ）変換部１１３によりプリンタ１３０用のＩＣＣプロファイル（ｐｒｔｒ）に従って変換して、プリンタ１３０に出力する。
【０００４】
ここで、ＩＣＣプロファイル（ｍｎｔｒ）は、ＰＣＳ色空間にマッピングされた色がモニタ１２０に正確に表示されるように決められており、またＩＣＣプロファイル（ｐｒｔｒ）も、ＰＣＳ色空間にマッピングされた色がプリンタ１３０で正確にプリントされるように決められているため、モニタ１２０やプリンタ１３０でも同じ色で表現することが可能になる。
【０００５】
しかし、モニタ１２０では、モニタ１２０本体又はＰＣ１１０側のグラフィックスカードによって、視聴者の好みを反映させるために色調整が可能となっており、モニタ１２０においてこのような色調整を行った場合には、その色調整の内容（色調整値）がプリント画像には反映されず、モニタ１２０で視聴した画像とは違った色合いの画像がプリントされて出力される。なお、ＰＣ１１０にインストールされた画像編集アプリケーションやプリンタ１３０に付属の印刷アプリケーションなどでの画像の色調整は、プリンタ１３０でのプリント時に反映されることとなるが、モニタ１２０での色調整が施された場合にはモニタ１２０とプリンタ１３０とで再現色の色合いが異なることに変わりはない。
【０００６】
特許文献１には、写真処理装置により作成された写真プリントの色再現領域をモニタ画面で反映させることのできる写真プリント作成システムが開示されている。このシステムでは、画像データを用いて写真プリントを作成するプリンタ部と第１モニタとを備えた写真処理装置と、第２モニタを備えたＰＣとを、ネットワークにより接続して構成されており、写真処理装置がＰＣにより取得された画像データに基づいて写真プリントを作成する。ＰＣにインストールされるプリンタドライバは、プリントデータを設定するプリントデータ設定手段と、プリンタ部のプロファイルと、第１モニタのプロファイルを獲得するプロファイル獲得手段と、これらのプロファイルを用いてカラーマネジメント処理を行うカラーマネジメント手段とを備え、写真プリントの色再現領域を第２モニタにプレビュー表示させる。
【０００７】
ところで、近年、テレビ装置においてもキャプチャ画像などをプリンタで印刷するシステムが要望されている。図５は、従来のテレビ装置にプリンタを接続してなるプリントシステムの構成を示すブロック図で、図中、１４０は従来のテレビ装置、１５０はプリンタである。
【０００８】
テレビ装置１４０では、ＴＶ放送信号を受信して得た画像に対して、画像処理部１４１で各種画像処理を施した後、ＬＣＤ（Liquid Crystal Display）モジュールで例示する表示デバイスに出力し、そのＬＣＤモジュール１４２が画像表示を実行している。テレビ装置１４０では、ＴＶ放送信号の放送規格に基づき規定された色が必ずしも視聴者に好まれるわけではない。従って、テレビ装置１４０では、メーカや視聴者によって色調整が可能となっており、画像処理部１４１においてその設定値（色調整値）に基づき画像に対して色調整が施される。これにより、テレビ装置１４０の画面には、好ましい肌色、好ましい赤、青空、木々の緑など、視聴者の好みに合うように調整された色で画像が表示される。
【０００９】
このようなテレビ装置１４０にプリンタ１５０を接続したプリントシステムでは、まず、ＴＶ放送信号を受信して得た画像のうちキャプチャされた画像を、プリント用画像としてプリンタ１５０に伝送する。続いて、プリンタ１５０側で、そのプリント用画像に対して印刷処理部１５１が印刷処理を施してプリントモジュール１５２に出力し、プリントモジュール１５２がプリントを実行する。
【００１０】
このとき、望ましくは、プリントされた画像がテレビ装置１４０で視聴した画像と同じと視聴者が感じる色合いになるべきである。しかしながら、テレビ装置１４０に表示させた画像をプリンタ１５０でプリントすると、仮に予めテレビ装置１４０とプリンタ１５０とのセットとして同じ色合いをもたせるように調整していた場合であっても、テレビ装置１４０において好みで色調整された内容（色調整値）がプリント画像には反映されず、テレビ装置１４０で視聴した画像とは違った色合いの画像がプリントされて出力される。
【特許文献１】特開２００３−２４４４６８号公報
【発明の開示】
【発明が解決しようとする課題】
【００１１】
上述のごとく、テレビ装置とプリンタとを備えたプリントシステムでは、テレビ装置で表現できる色とプリンタで表現できる色が違っているために、テレビ装置に表示させた画像をプリンタでプリントするとテレビ装置で視聴した色調整済みの画像とは違った色合いの画像がプリントされて出力される。
【００１２】
テレビ装置ではメーカやユーザにより色調整がなされることが多いことを鑑みて、上述のごとき色合いの違いの問題を解決するために、特許文献１に記載の技術をテレビ装置に適用することも考えられる。
【００１３】
しかしながら、このシステムを利用するには大きな処理能力が必要で一般的にはＰＣが必要になるなど、システムが複雑になり且つコストが嵩んでしまう。より具体的には、テレビ装置１４０は、汎用性をもたせるためにプリンタ１５０のメーカや機種の違いに対応しておくことが好ましいが、そのためには、テレビ装置１４０に図４のシステムにおけるＰＣ１１０を具備するか、或いは、それと同等の構成を採用してプリンタ１５０に合ったドライバのインストールを可能に構成する必要が生じる。後者の場合には、ネットワーク経由でドライバを得るか或いはテレビ装置１４０に通常具備されないＣＤ等の記録媒体用の駆動装置を具備する必要が生じる。いずれの構成を採用したとしても、システム構成も煩雑となり且つコスト高となる。
【００１４】
さらに、いずれの構成を採用したとしても、民生用機器としてのテレビ装置は一般の人が使用するため、ＰＣの知識の無いユーザはドライバのインストールが容易にできない。つまり、引用文献１に記載の技術では、色を正確に表示するために、第１モニタ、第２モニタ、プリンタ部のプロファイルを入手し、それをＰＣに入力してカラーマネジメントを行う必要があるが、これらデータの入手、ＰＣへの入力についても一般ユーザにとっては難しい。そして、ＰＣをテレビ装置に置き換えたシステムやテレビ装置に組み込んだシステムでは、殊更困難となる。また、各機器をネットワークで接続しているがネットワーク接続をした機器を正しく動作させるためにはネットワーク接続の専門的な知識が必要とされ、これも一般の人が扱うには難しい。
【００１５】
このように、特許文献１に記載の技術をテレビ装置に適用することは、簡単にはできず、且つ一般ユーザにとっては使用し難い構成となってしまう。
【００１６】
本発明は、上述のごとき実状に鑑みてなされたものであり、簡単な構成で、且つ一般ユーザにとっても簡単な操作で、テレビ装置で表示させた色と同じと感じる色でプリントすることが可能なプリントシステムを提供することを、その目的とする。
【課題を解決するための手段】
【００１７】
上述の課題を解決するために、本発明の第１の技術手段は、入力画像を表示する表示デバイスを有するテレビ装置と、プリンタとを備えたプリントシステムにおいて、該テレビ装置は、前記入力画像を、前記入力画像のカラープロファイルと前記表示デバイスの特性と前記テレビ装置で設定されている色調整値とから、表示用色空間にマッピングし、前記表示デバイスに出力する画像処理手段と、前記プリンタでプリントするための前記入力画像のプリント用画像とプリント用カラープロファイルとを、前記プリンタに伝送する伝送手段と、該伝送手段で伝送する前記プリント用カラープロファイルとして、前記プリンタで、前記表示デバイスで前記入力画像を表示させた色と同等の色で前記プリント用画像をプリントするためのプロファイルを生成するプロファイル生成手段とを有し、前記プリンタは、前記伝送されたプリント用画像を、前記伝送されたプリント用カラープロファイルに従ってデバイスインデペンデントな色空間にマッピングすることで変換する第１変換手段と、該第１変換手段で変換されたプリント用画像を、前記プリンタ用のカラープロファイルに従ってプリント用色空間にマッピングすることで変換する第２変換手段と、該第２変換手段で変換されたプリンタ用画像をプリントするプリント手段とを有することを特徴としたものである。
【００１８】
第２の技術手段は、第１の技術手段において、前記プロファイル生成手段は、前記プリント用カラープロファイルとして、前記入力画像を前記表示デバイスでの表示色と同等の色となるようにデバイスインデペンデントな色空間にマッピングするためのプロファイルを生成し、前記伝送手段は、前記プリント用画像として前記入力画像を、前記プリンタに伝送することを特徴としたものである。
【００１９】
第３の技術手段は、第１の技術手段において、前記プロファイル生成手段は、前記プリント用カラープロファイルとして、前記入力画像に前記色調整値を反映させた画像を、前記表示デバイスでの表示色と同等の色となるようにデバイスインデペンデントな色空間にマッピングするためのプロファイルを生成し、前記伝送手段は、前記プリント用画像として、前記入力画像に前記色調整値を反映させた画像を、前記プリンタに伝送することを特徴としたものである。
【００２０】
第４の技術手段は、第１の技術手段において、前記プロファイル生成手段は、前記プリント用カラープロファイルとして、デバイスインデペンデントな色空間であることを示すプロファイルを生成し、前記伝送手段は、前記プリント用画像として、前記入力画像に前記色調整値を反映させた画像をさらにデバイスインデペンデントな色空間にマッピングした画像を、伝送することを特徴としたものである。
【００２１】
第５の技術手段は、第１〜第４のいずれかの技術手段のプリントシステムにおけるテレビ装置である。
【発明の効果】
【００２２】
本発明に係るプリントシステムによれば、簡単な構成で、且つ一般ユーザにとっても簡単な操作で、テレビ装置で表示させた色と同じと感じる色でプリントすることが可能となる。
【発明を実施するための最良の形態】
【００２３】
本発明に係るプリントシステムは、入力画像を表示する表示デバイス及び画像処理手段を有するテレビ装置と、プリンタとを備えたシステムである。この画像処理手段は、入力画像を、入力画像のカラープロファイルと表示デバイスの特性とテレビ装置で設定されている色調整値とから、表示用色空間（表示デバイス用の色空間）にマッピングし、表示デバイスに出力する。
【００２４】
そして、本発明の主たる特徴として、テレビ装置は次のプロファイル生成手段及び伝送手段を備える。プロファイル生成手段は、表示デバイスで入力画像を表示させた色と同等の色で、プリンタでプリントするためのプリント用カラープロファイル、すなわちプリント用画像を適切にプリントするためのプリント用カラープロファイルを生成する。伝送手段は、プリンタでプリントするための入力画像のプリント用画像とプロファイル生成手段で生成されたプリント用カラープロファイルとを、プリンタに伝送する。つまり、テレビ装置は、カラープロファイル生成（作成）機能をもち、プリント用画像とそのプリント用画像を適切にプリントするためのプリント用カラープロファイルとをプリンタに伝送するよう構成している。
【００２５】
一方、プリンタは、次の第１変換手段、第２変換手段、及びプリント手段を備える。第１変換手段は、伝送されたプリント用画像を、伝送されたプリント用カラープロファイルに従ってデバイスインデペンデントな色空間（ＰＣＳ色空間）にマッピングすることで変換する。第２変換手段は、第１変換手段で変換されたプリント用画像を、プリンタ用のカラープロファイル（プリント手段用のカラープロファイル）に従ってプリント用色空間にマッピングすることで、プリンタの特性に合うように変換する。プリント手段は、第２変換手段で変換されたプリンタ用画像をプリントする。つまり、プリンタは、入力されたプリント用画像と、プリント用カラープロファイルと、プリントする特性から、テレビ装置で表示された色と同等の色になるようマッピングしプリントする。
【００２６】
このように、本発明に係るプリントシステムは、テレビ装置で調節された好みの色合いが反映された状態で、画像とカラープロファイルがプリンタに送出され、このプロファイルに基づいてプリンタがテレビ装置で表示されたものと同じ色合いになるようにマッピングしてからプリントを実行する。従って、本発明に係るプリントシステムでは、テレビ装置で見たのと同じ色でプリントができ、また一般ユーザにも通常のプリント操作と同じ簡単な操作でこのような色を合わせたプリントが実行でき、さらにプリンタに送る画像作成、プロファイルの作成、必要な画像処理において、処理負荷が軽減されるようにしているので容易に搭載することができる。
【００２７】
以下、本発明に係るプリントシステムについて、各実施形態を挙げて、図面を参照しながら具体的に説明する。
【００２８】
＜第１の実施形態＞
図１は、本発明の第１の実施形態に係るプリントシステムの構成例を示すブロック図で、図中、１０はテレビ装置、２０はプリンタである。
【００２９】
図１で例示するプリントシステム（以下、本システムという）は、テレビ装置１０とプリンタ２０とを備え、上述の伝送手段により少なくともテレビ装置１０からプリンタ２０へデータ伝送可能に構成される。例えば、テレビ装置１０とプリンタ２０とを、ＵＳＢ（Universal Serial Bus）ケーブルや、ＩＥＥＥ（The Institute of Electrical and Electronics Engineers, Inc.）１２８４ケーブルなどの有線接続により構成するか、或いは無線通信デバイスによる無線接続により構成するとよい。或いは、各種可搬記録媒体の読取装置をテレビ装置１０とプリンタ２０の双方に具備し、テレビ装置１０から可搬記録媒体へデータを書き込み、プリンタ２０でそのデータを読み出す構成を採用してもよい。勿論、プリンタ２０側からテレビ装置１０への例えば印刷結果等のデータの伝送を可能に構成してもよい。
【００３０】
本システムにおけるテレビ装置１０は、画像処理手段の一例としての画像処理部１１、Ｄｅｖｉｃｅ＞ＰＣＳ変換部１２、及びＬＣＤ用ＰＣＳ＞Ｄｅｖｉｃｅ変換部１３と、表示デバイスの一例としてのＬＣＤモジュール１４と、プロファイル生成手段の一例としてのカラープロファイル生成部１５とを備える。また、本システムにおけるプリンタ２０は、第１変換手段の一例としてのＤｅｖｉｃｅ＞ＰＣＳ変換部２１と、第２変換手段の一例としてのプリンタ用ＰＣＳ＞Ｄｅｖｉｃｅ変換部２２と、プリント手段の一例としてのプリントモジュール２３とを備える。
【００３１】
まず、テレビ装置１０における画像の表示について説明する。テレビ装置１０の入力信号の主なものはテレビ放送（ＴＶ放送）であり、そのＴＶ放送信号を復号した画像が入力画像となる。現在のＴＶ放送にはカラープロファイルは付随していないが、ＴＶ放送は規格で使用する色空間が決められており、これをもとに入力画像のカラープロファイルを決定できる。将来的にはカラープロファイルが付随した放送も考えられ、そのような放送では入力画像のカラープロファイルも放送から取得できることになる。
【００３２】
また、テレビ装置１０に図示しないレコーダやプレーヤ等の外部機器が接続されていた場合には、それら外部機器からの出力信号を入力信号とすることができる。このときも、カラープロファイルを外部機器から得たり、その入力信号に推奨される色空間規格をもとにテレビ装置１０内でカラープロファイルを決定したり、テレビ装置１０で別途入力したりすればよい。また、テレビ装置１０にはデジタルカメラ等からの静止画が入力される場合もある。カラープロファイルが付随した静止画はこれを利用すればよい。カラープロファイルが付随しない場合でも、デジタルカメラで撮影された静止画には推奨される色空間規格があり、これをもとにカラープロファイルが決定できる。また、デジタルカメラで撮影した画像を入力画像とする場合にも、そのカラープロファイルをテレビ装置１０で別途入力してもよい。また、入力画像がその他の画像であった場合にも、何らかの手段でカラープロファイルを決定或いは入力すればよい。
【００３３】
画像処理部１１は、好みの色に調節する色調整機能を有しており、入力画像に対して、色調整を含む各種画像処理を施す。この色調整は、テレビ装置１０のメーカが出荷時に意図的に施す場合もあるし、別途、或いはそれに加えて、テレビ装置１０のユーザが好みで調整する場合もある。いずれの色調整においても、入力画像の色に変更を加える処理である。
【００３４】
この色調整処理は、例えば次の３×３マトリクス演算で実現できる。入力画像の信号をＲ０，Ｇ０，Ｂ０、補正後の信号をＲ１，Ｇ１，Ｂ１として、下式で表される。
【００３５】
【数１】
2009147613.tif 000003
【００３６】
ここで、Ｍ１，Ｍ２，Ｍ３，Ｍ４，Ｍ５，Ｍ６，Ｍ７，Ｍ８，Ｍ９は変換係数である。ユーザ等は実際の画面を見ながら間接的にこの変換係数を適切に選ぶことで色調節を行い、その変換係数（色調整値）が記憶され、実際の色調整時にその変換係数を読み出すことができる。
【００３７】
Ｄｅｖｉｃｅ＞ＰＣＳ変換部１２は、このような色調整後の画像をＰＣＳ色空間に変換する。ＰＣＳ色空間は、デバイスに依存しない色空間（デバイスインデペンデントな色空間）であり、例えばＣＩＥで規格化されているＸＹＺ空間、Ｌａｂ空間、ＣＩＥＣＡＭ０２空間などが用いられる。以下、ＰＣＳ色空間として、ＸＹＺ空間を採用した例を挙げる。
【００３８】
Ｄｅｖｉｃｅ＞ＰＣＳ変換部１２では、その変換処理に入力画像のカラープロファイルを使用する。このカラープロファイルにはＤｅｖｉｃｅ＞ＰＣＳ変換部１２での変換処理に必要なデータが記載されており、より具体的には次の内容になる。テレビ装置１０の入力画像をテレビ規格ＩＴＵ−Ｒ  ＢＴ．７０９であると仮定すると、ＢＴ．７０９規格から、この信号をＰＣＳ色空間に変換するカラープロファイルＡが決定できる。その主な内容としては、入力信号の白色点（ＸＹＺ値）、γ値、Ｒ，Ｇ，ＢからＸＹＺへの変換係数、ＰＣＳの白色点が含まれる。
【００３９】
カラープロファイルＡによるＤｅｖｉｃｅ＞ＰＣＳ変換部１２での変換処理例は、次のようになる。すなわち、ＩＴＵ−Ｒ  ＢＴ．７０９のＲＧＢ信号は非線形処理が施されており、これを線形信号に戻す処理を施す。より具体的には、γ値を用い、入力をＲ′，Ｇ′，Ｂ′（入力が色調整後である場合にはそれぞれ上述のＲ１，Ｇ１，Ｂ１が該当する）として、まず次式の変換を行う。
【００４０】
Ｒ＝Ｒ′＾γ
Ｇ＝Ｇ′＾γ
Ｂ＝Ｂ′＾γ
【００４１】
続いて、次式のように、３×３マトリクス処理でＰＣＳ色空間のＸＹＺに変換する。ここで、Ｋ１，Ｋ２，Ｋ３，Ｋ４，Ｋ５，Ｋ６，Ｋ７，Ｋ８，Ｋ９はＲ，Ｇ，ＢからＸＹＺへの変換係数であり、上述したカラープロファイルＡに含まれている。
【００４２】
【数２】
2009147613.tif 000004
【００４３】
このようにして、色調整が施された画像がＰＣＳ色空間に変換される。つまり、好みの色調整を施した画像を、入力画像のカラープロファイルを使ってＤｅｖｉｃｅ＞ＰＣＳ変換部１２で変換処理を実行すれば、好みの色調整が反映された画像がＰＣＳ色空間にマッピングされる。
【００４４】
また、上述のＲ′，Ｇ′，Ｂ′からＸ，Ｙ，Ｚへの変換の式は、好みの色調整を全く行わない場合にも同様に適用できる。つまり、Ｒ′，Ｇ′，Ｂ′（入力画像Ｒ０，Ｇ０，Ｂ０）に対してカラープロファイルＡを使ってＤｅｖｉｃｅ＞ＰＣＳ変換部１２での変換処理を実施すれば、入力画像そのものがＢＴ．７０９規格の色空間からＰＣＳ色空間に変換できる。
【００４５】
ＰＣＳ色空間の画像は、次にＬＣＤ用ＰＣＳ＞Ｄｅｖｉｃｅ変換部１３で、ＬＣＤモジュール１４を駆動する信号に変換され、ＬＣＤモジュール１４に出力される。より具体的には、ＬＣＤ用ＰＣＳ＞Ｄｅｖｉｃｅ変換部１３は、ＰＣＳ色空間で表された色が正しくＬＣＤモジュール１４で表示されるように、ＬＣＤモジュール１４のカラープロファイルを用いてＰＣＳ色空間の画像を変換する。このようにして、ＬＣＤモジュール１４では、画像処理部１１での色調整の結果を反映した画像が表示される。
【００４６】
以上の処理により、入力画像が色調節され、その結果が反映された色がＰＣＳ色空間にマッピングされ、ＬＣＤモジュール１４を駆動するための信号に変換されることで、ＰＣＳ色空間の画像の内容が正しくＬＣＤモジュール１４に表示される。なお、通常、Ｄｅｖｉｃｅ＞ＰＣＳ変換部１２及びＬＣＤ用ＰＣＳ＞Ｄｅｖｉｃｅ変換部１３は画像処理部１１に組み込まれており、さらに実際には画像をＰＣＳ色空間にマッピングする必要はなく直接ＬＣＤモジュール１４を駆動するための信号に変換すればよいため、図１においてはこれらを仮想的に点線枠内に表している。
【００４７】
次に、本実施形態におけるプリント処理について説明する。テレビ装置１０は、伝送手段によりプリンタ２０へプリントする画像（プリント用画像）とカラープロファイル（プリント用カラープロファイル）とを送る。本実施形態における伝送手段は、プリント用画像として、入力画像そのままをプリンタ２０へ伝送する。例えば、入力信号を復号した画像のうち、ユーザ操作により画像キャプチャ処理がなされた画像（入力画像）をそのまま、プリント用画像としてプリンタ２０に伝送する。
【００４８】
そして、伝送手段は、入力画像と共に、カラープロファイル生成部１５で生成されたプリント用カラープロファイルをプリンタ２０に伝送する。本実施形態におけるカラープロファイル生成部１５は、プリント用カラープロファイルとして、入力画像をＬＣＤモジュール１４での表示色（勿論、色調整後の画像の表示色）と同等の色となるようにＰＣＳ色空間にマッピングするためのプロファイルを生成する。
【００４９】
より具体的には、テレビ装置１０の入力画像をテレビ規格ＢＴ．７０９であると仮定すると、上述のごとくＢＴ．７０９規格からこの信号をＰＣＳ色空間に変換するカラープロファイルＡが決定できる。そして、本実施形態では、ＬＣＤモジュール１４での表示の際にＰＣＳ色空間にマッピングされる画像は、上述のごとく入力画像に色調整処理を施した画像である。従って、テレビ装置１０の入力画像をＰＣＳ色空間にマッピングするためのプリント用カラープロファイルは、ＢＴ．７０９規格の入力画像をＰＣＳ色空間にマッピングするカラープロファイルＡに、好みの色調整の内容を加えたカラープロファイルＢとなる。
【００５０】
上述したように、好みの色調整処理は３×３マトリクス演算で実現できる。そして、カラープロファイルＡの処理には上述したように３×３マトリクス演算が含まれる。このことを利用すると、実は、ＲＧＢからＸＹＺへの変換係数を変更することで、好みの色調整処理を反映できるのである。従って、カラープロファイル生成部１５で生成するプリント用カラープロファイルとしてのカラープロファイルＢは、カラープロファイルＡのＲＧＢからＸＹＺへの変換係数を適切に変更したものでよい。
【００５１】
プリンタ２０は、Ｄｅｖｉｃｅ＞ＰＣＳ変換部２１及びプリンタ用ＰＣＳ＞Ｄｅｖｉｃｅ変換部２２で例示するように、入力されたプリント用カラープロファイル（ここではカラープロファイルＢ）に基づいてプリント用画像をマッピングする機能を持ち、これをプリントモジュール２３がプリントする。次にこの処理を具体的に説明する。
【００５２】
まずプリンタ２０では、プリント用画像である入力画像とカラープロファイルＢとを受け取り、Ｄｅｖｉｃｅ＞ＰＣＳ変換部２１がカラープロファイルＢを使って入力画像をＰＣＳ色空間にマッピングする。ここで、プリンタ２０の入力画像はテレビ装置１０の入力画像であり、またカラープロファイルＢはテレビ装置１０の入力画像に好みの色調整を加えた画像をＰＣＳ色空間にマッピングするためのプロファイルであるため、プリンタ２０内のＰＣＳ色空間には、テレビ装置１０のＰＣＳ色空間と同じデータがマッピングされることになる。
【００５３】
次にプリンタ２０では、プリンタ用ＰＣＳ＞Ｄｅｖｉｃｅ変換部２２がＰＣＳ色空間の画像をプリントモジュール（プリントデバイス）２３を駆動する信号に変換する。つまり、プリンタ用ＰＣＳ＞Ｄｅｖｉｃｅ変換部２２は、ＰＣＳ色空間で表された色が正しくプリントモジュール２３でプリントされるように、プリントモジュール２３のカラープロファイルに基づき画像を変換する。そして、プリントモジュール２３が変換後の画像をプリントする。
【００５４】
従って、テレビ装置１０はＰＣＳ色空間の色を正しく表示し、プリンタ２０はＰＣＳ色空間の色を正しくプリントし、テレビ装置１０とプリンタ２０のＰＣＳ色空間は同じデータであるから、プリントした色はテレビ装置１０の色と同じ色となる。
【００５５】
また、本実施形態では、プリンタ２０に送る画像は入力画像であるため、プリンタ２０に送るための特別な画像処理は必要ない。また、プリンタ２０に送るプリント用カラープロファイルは入力画像に好みの色調整を加えた画像をＰＣＳ色空間にマッピングするプロファイルであるが、表示処理について説明した通りテレビ装置１０の中で実際に画像をＰＣＳ色空間にマッピングする必要はなく、プリント用カラープロファイルが作成できればよい。従って、本実施形態では、テレビ装置１０内での画像処理を軽減することができる。
【００５６】
また、好みの色調整処理は、ユーザによって何時実施されるか特定はできない。そして、この色調整の内容はプリンタ２０に送るプリント用カラープロファイルに反映させなければならない。従って、本実施形態では、プリンタ２０に画像を送る場合には、必ずそれとセットでプリント用カラープロファイルを送る必要がある。
【００５７】
＜第２の実施形態＞
図２は、本発明の第２の実施形態に係るプリントシステムの構成例を示すブロック図で、図中、３０はテレビ装置、４０はプリンタである。図２で例示するプリントシステムは、テレビ装置３０とプリンタ４０とを備え、図１のシステムと同様に少なくともテレビ装置３０からプリンタ４０へデータ伝送可能に構成される。
【００５８】
本実施形態におけるテレビ装置３０は、画像処理手段の一例としての画像処理部３１、Ｄｅｖｉｃｅ＞ＰＣＳ変換部３２、及びＬＣＤ用ＰＣＳ＞Ｄｅｖｉｃｅ変換部３３と、表示デバイスの一例としてのＬＣＤモジュール３４と、プロファイル生成手段の一例としてのカラープロファイル生成部３５とを備える。また、本実施形態におけるプリンタ４０は、第１変換手段の一例としてのＤｅｖｉｃｅ＞ＰＣＳ変換部４１と、第２変換手段の一例としてのプリンタ用ＰＣＳ＞Ｄｅｖｉｃｅ変換部４２と、プリント手段の一例としてのプリントモジュール４３とを備える。これらの各部３１〜３３，４１〜４３は、第１の実施形態における同名の各部１１〜１３，２１〜２３と以下の点で異なるだけである。
【００５９】
本実施形態が第１の実施形態と異なるのは、プリンタ４０に送る画像（プリント用画像）を、好みの色調整処理を施した後の画像にしていることである。そして、これに従って、プリンタ４０に送るプリント用カラープロファイル、すなわちカラープロファイル生成部３５で生成されるプリント用カラープロファイルも変わる。
【００６０】
つまり、カラープロファイル生成部３５は、プリント用カラープロファイルとして、入力画像に色調整値を反映させた画像を、ＬＣＤモジュール３４での表示色（勿論、色調整後の画像の表示色）と同等の色となるようにＰＣＳ色空間にマッピングするためのプロファイルを生成する。そして、伝送手段が、プリント用画像として、入力画像に色調整値を反映させた画像をプリンタ４０に伝送すると共に、生成されたプリント用カラープロファイルをプリンタ４０に伝送する。
【００６１】
テレビ装置３０の入力画像に好みの色調整処理を施した画像を、ＬＣＤモジュール３４での表示色と同等の色となるようにＰＣＳ色空間に変換するプリント用カラープロファイルは、第１の実施形態で説明したように、ＢＴ．７０９規格からこの信号をＰＣＳ色空間に変換するカラープロファイルＡでよい。従って、ＢＴ．７０９規格の入力画像に対しては、カラープロファイル生成部３５はカラープロファイルＡを生成（実際には決定）すれば済み、伝送手段は、Ｄｅｖｉｃｅ＞ＰＣＳ変換部３２で使用するカラープロファイルＡをそのままプリンタ４０へ伝送すればよい。これは、好みの色調整の内容が伝送するプリント用画像の方に反映されているためである。
【００６２】
このように、本実施形態では、プリンタ用画像は生成しなければならないが、その代わりにプリンタ４０への伝送専用にプリント用カラープロファイルを新たに生成する必要はなく、テレビ装置３０内で使用するカラープロファイルと兼用できる。さらに、好みの色調整の内容が伝送するプリント用画像の方に反映されているため、プリンタ４０に伝送するプリント用カラープロファイルは、プリント用画像を伝送する毎に同じものを伝送してもよいが、プリント用画像毎に送る必要はない。なお、例えばデジタルカメラなどに入力ソースが切り替わることで、入力画像のカラープロファイルが変わったときには、プリント用カラープロファイルも伝送するとよい。
【００６３】
また、本実施形態においても、通常、Ｄｅｖｉｃｅ＞ＰＣＳ変換部３２及びＬＣＤ用ＰＣＳ＞Ｄｅｖｉｃｅ変換部３３は画像処理部３１に組み込まれており、さらに実際には画像をＰＣＳ色空間にマッピングする必要はなく直接ＬＣＤモジュール３４を駆動するための信号に変換すればよいため、図２においてはこれらを仮想的に点線枠内に表している。つまり、プリンタ４０に送るプリント用カラープロファイルは、入力画像に好みの色調整を加えた画像をＬＣＤモジュール３４での表示色と同等の色となるようにＰＣＳ色空間にマッピングするプロファイルであるが、本実施形態でもテレビ装置３０の中で実際に画像をＰＣＳ色空間にマッピングする必要はない。
【００６４】
＜第３の実施形態＞
図３は、本発明の第３の実施形態に係るプリントシステムの構成例を示すブロック図で、図中、５０はテレビ装置、６０はプリンタである。図３で例示するプリントシステムは、テレビ装置５０とプリンタ６０とを備え、図１のシステムと同様に少なくともテレビ装置５０からプリンタ６０へデータ伝送可能に構成される。
【００６５】
本実施形態におけるテレビ装置５０は、画像処理手段の一例としての画像処理部５１、Ｄｅｖｉｃｅ＞ＰＣＳ変換部５２、及びＬＣＤ用ＰＣＳ＞Ｄｅｖｉｃｅ変換部５３と、表示デバイスの一例としてのＬＣＤモジュール５４と、プロファイル生成手段の一例としてのカラープロファイル生成部５５とを備える。また、本実施形態におけるプリンタ６０は、第１変換手段の一例としてのＤｅｖｉｃｅ＞ＰＣＳ変換部６１と、第２変換手段の一例としてのプリンタ用ＰＣＳ＞Ｄｅｖｉｃｅ変換部６２と、プリント手段の一例としてのプリントモジュール６３とを備える。これらの各部５１〜５３，６１〜６３は、第１の実施形態における同名の各部１１〜１３，２１〜２３と以下の点で異なるだけである。
【００６６】
本実施形態が第１の実施形態と異なるのは、プリンタ６０に送る画像（プリント用画像）を、ＰＣＳ色空間にマッピングした後の画像にしていることである。そして、これに従って、プリンタ６０に送るプリント用カラープロファイル、すなわちカラープロファイル生成部５５で生成されるプリント用カラープロファイルも変わる。
【００６７】
つまり、カラープロファイル生成部５５は、プリント用カラープロファイルとして、ＰＣＳ色空間であることを示す内容のプロファイルを生成するだけでよい。そして、伝送手段が、プリント用画像として、入力画像に色調整値を反映させた画像をさらにＰＣＳ色空間にマッピングした画像を、プリンタ６０に伝送すると共に、生成されたプリント用カラープロファイルをプリンタ６０に伝送する。
【００６８】
プリンタ６０では、受け取るプリント用画像が既にＰＣＳ色空間の画像であるため、Ｄｅｖｉｃｅ＞ＰＣＳ変換部６１では実際の画像処理は施さなくて済み、受け取ったプリント用カラープロファイルを解釈してそのままプリント用画像をプリンタ用ＰＣＳ＞Ｄｅｖｉｃｅ変換部６２に送ってプリントモジュール６３でプリントさせればよい。
【００６９】
本実施形態では、ＰＣＳ色空間にマッピングされた画像を送るので、プリンタ６０におけるＤｅｖｉｃｅ＞ＰＣＳ変換処理が軽減できる。但し、テレビ装置５０内では、実際にＰＣＳ色空間にマッピングされた画像を作成しなければならない。また、本実施形態では、プリンタ６０に伝送するプリント用カラープロファイルは画像毎に送る必要はなく、また同じものを伝送してもよい。
【００７０】
また、本実施形態においても、通常、Ｄｅｖｉｃｅ＞ＰＣＳ変換部５２及びＬＣＤ用ＰＣＳ＞Ｄｅｖｉｃｅ変換部５３は画像処理部５１に組み込んで構成される。また、本実施形態では、プリンタ６０へ伝送するためにだけ画像をＰＣＳ色空間にマッピングすればよいため、画像処理部５１は、表示用には直接ＬＣＤモジュール５４を駆動するための信号に変換してＬＣＤモジュール５４へ出力してもよい。
【００７１】
以上、第１〜第３の実施形態について説明したが、各実施形態は優劣を競うものではなく、負荷を軽減できる箇所（処理場所）に特長がある。いずれを採用するかはシステムを実現する上でテレビ装置の処理内容とプリンタの処理内容とのバランスで決めればよい。
【００７２】
以上、各実施形態を挙げて説明したように、本発明に係るプリントシステムは、テレビ装置とプリンタのみで構成されており、システム構成が簡単である。また、テレビ装置とプリンタとはネットワーク接続を行ってもよいが、システム構成を簡素化するためにはネットワーク接続を採用しないことが好ましい。また、本発明に係るプリントシステムでは、カラープロファイルを入手し、後から入力する必要はない。従って、一般ユーザが容易に使えるような、テレビ装置で見た色と同じと感じる色でプリントできるシステムが実現できる。
【００７３】
なお、第３の実施形態では、テレビ装置５０がプリント用カラープロファイルを生成してプリンタ６０に伝送したが、他の実施形態として、プリント用カラープロファイルの生成及び伝送を行わない構成であっても、同様の効果がある。この形態では、プリンタとして、ＰＣＳ色空間の画像データのみをプリントするＰＣＳ色空間専用のプリンタを採用するなどすればよい。
【図面の簡単な説明】
【００７４】
【図１】本発明の第１の実施形態に係るプリントシステムの構成例を示すブロック図である。
【図２】本発明の第２の実施形態に係るプリントシステムの構成例を示すブロック図である。
【図３】本発明の第３の実施形態に係るプリントシステムの構成例を示すブロック図である。
【図４】ＤＴＰシステムの構成例を示すブロック図である。
【図５】従来のテレビ装置にプリンタを接続してなるプリントシステムの構成を示すブロック図である。
【符号の説明】
【００７５】
１０，３０，５０…テレビ装置、１１，３１，５１…画像処理部、１２，３２，５２…テレビ装置側のＤｅｖｉｃｅ＞ＰＣＳ変換部、１３，３３，５３…ＬＣＤ用ＰＣＳ＞Ｄｅｖｉｃｅ変換部、１４，３４，５４…ＬＣＤモジュール、２０，４０，６０…プリンタ、２１，４１，６１…プリンタ側のＤｅｖｉｃｅ＞ＰＣＳ変換部、２２，４２，６２…プリンタ用ＰＣＳ＞Ｄｅｖｉｃｅ変換部、２３，４３，６３…プリントモジュール。
【図１】
2009147613.tif 000005
【図２】
2009147613.tif 000006
【図３】
2009147613.tif 000007
【図４】
2009147613.tif 000008
【図５】
2009147613.tif 000009